(57)【要約】【課題】  簡単な構成により、しかも、経済的に光源としてのランプ交換ができるようにした液晶表示装置を提供することを目的とする。【解決手段】  画像情報を表示する液晶パネル３１を有するシェル部３と、この表示パネル３１の背面にランプフレーム４２に支持されて配設されるバックライト用の複数のランプ４１を有する光源部４と、この光源部４と液晶パネル３１との間に配設され、光源部４から出射された出射光を均一にする光学系部材を有する光学部５と、液晶パネル３１の表面側に配設されるベゼル６と、光源部４の背面に配設されるリアフレーム７とを備えた液晶表示装置１において、光学部５は、光源部４側に光学部用フレーム５４を、更に備え、シェル部３と光学部５とを、ベゼル６と光学部用フレーム５４とにより一体的に固定してシェル光学群３５を形成するとともに、このシェル光学群３５とリアフレーム７との間に、光源部４を着脱可能に装着する。【選択図】図３
2009020227.tif 000002
【特許請求の範囲】
【請求項１】
画像情報を表示する液晶パネルを有するシェル部と、この表示パネルの背面にランプフレームに支持されて配設されるバックライト用の複数のランプを有する光源部と、この光源部と前記液晶パネルとの間に配設され、前記光源部から出射された出射光を均一にする光学系部材を有する光学部と、前記液晶パネルの表面側に配設されるベゼルと、前記光源部の背面に配設されるリアフレームとからなる液晶モジュールを備えた液晶表示装置において、
前記光学部は、前記光源部側に光学部用フレームを、更に備え、前記シェル部と前記光学部とを、前記ベゼルと光学部用フレームとにより一体的に固定してシェル光学群を形成するとともに、このシェル光学群と前記リアフレームとの間に、前記光源部を着脱可能に装着して構成したことを特徴とする液晶表示装置。
【請求項２】
前記リアフレームは、前記シェル光学群との間に前記光源部を介して着脱可能に取付けられていて、前記ランプを交換する際には、前記リアフレームを前記シェル光学群から取り外すことにより、前記複数のランプの内の任意のランプを取り替え可能に構成したことを特徴とする請求項１に記載の液晶表示装置。
【請求項３】
前記光源部は、前記ランプを支持する凹部を有するランプフレームを更に備え、前記ランプは、前記ランプフレームの前記凹部に配設されていることを特徴とする請求項１または請求項２に記載の液晶表示装置。
【請求項４】
前記シェル部は、シェル部用フレームを更に備え、当該シェル部用フレームと前記ベゼルとの間に液晶パネルを配設して一体的に構成したことを特徴とする請求項１に記載の液晶表示装置。
【請求項５】
画像情報を表示する液晶パネルを有するシェル部と、この表示パネルの背面にランプフレームに支持されて配設されるバックライト用の複数のランプを有する光源部と、この光源部と前記液晶パネルとの間に配設され、前記光源部から出射された出射光を均一にする光学系部材を有する光学部と、前記液晶パネルの表面側に配設されるベゼルと、前記光源部の背面に配設されるリアフレームとからなる液晶モジュールを備えた液晶表示装置の前記光源部のランプを交換する液晶表示装置のランプ交換方法において、
前記光学部は、前記光源部側に光学部用フレームを、更に備え、前記シェル部と前記光学部とを、前記ベゼルと光学部用フレームとにより一体的に固定してシェル光学群を形成するとともに、このシェル光学群と前記リアフレームとの間に、前記光源部を配設し、前記ベゼルと、前記リアフレームとを、これらを締結する締結手段を用いて着脱可能に装着しておき、前記ランプを取り替える際には、前記ベゼルと、前記リアフレームとの前記締結手段による締結を解き、前記シェル光学群から前記リアフレームを取り外して、前記ランプを交換するようにしたことを特徴とする液晶表示装置のランプ交換方法。
【発明の詳細な説明】
【技術分野】
【０００１】
本発明は、例えば、液晶パネルの背面から照射する直下型の液晶モジュールを備えた液晶表示装置および液晶表示装置のランプ交換方法に関し、特に、簡単な構成により、しかも、経済的に光源としてのランプを交換ができるようにしたものである。
【背景技術】
【０００２】
例えば、直下型の液晶モジュールを備えた液晶表示装置では、高いコントラストで明るいカラー表示を得るために、冷陰極管或いは熱陰極管からなるランプを用いたものが種々提案されている。ところが、一般的に、冷陰極管或いは熱陰極管からなるランプは、時間とともに輝度が低下する傾向にある。
【０００３】
このため、従来では、経年変化により輝度が低下したランプを交換するために、例えば、光源、ライティングカーテン、散乱板およびシャーシをランプハウスユニットとしてユニット化し、シャーシの保持体にランプハウスユニットを着脱できるようにしたものがある(特許文献１参照）。また、各ランプと各反射板とを一体型に構成し、バックライトの枠体に対して、一体型のランプと反射板とを個別に抜き差しできるようにしたものがある(特許文献２参照）。
【０００４】
また、ランプなどをランプユニットとして構成し、このランプユニットを、バックライトケースに抜き差しできるようにしたものがある(特許文献３参照）。更には、発光素子と光源ドライバとシェルなどをバックライトユニットとしてユニット化したものがある(特許文献４参照）。
【特許文献１】特開平０２−２８２７８２号公報
【特許文献２】特開平１１−２８１３号公報
【特許文献３】特開２０００−２２１５０３号公報
【特許文献４】特開２００５−３３１９５７号公報
【発明の開示】
【発明が解決しようとする課題】
【０００５】
しかし、前述の特許文献１乃至特許文献４参記載の構成では、何れの構成もランプと反射板などが一体的にユニット化されているため、ランプの交換に際しては、交換の必要なランプ以外に、反射板や、他のランプを同時に交換する必要があり、極めて不経済である。また、バックライト部分をユニット化するため、その構成が、煩雑となり、この点からも価格の高騰を招来するなどといった問題があった。
【０００６】
本発明は、上述した問題を解決するためになされたものであり、簡単な構成により、しかも、経済的に光源としてのランプを交換ができるようにした液晶表示装置および液晶表示装置のランプ交換方法を提供することを目的とする。
【課題を解決するための手段】
【０００７】
かかる目的を達成するため、本発明では、画像情報を表示する液晶パネルを有するシェル部と、この表示パネルの背面にランプフレームに支持されて配設されるバックライト用の複数のランプを有する光源部と、この光源部と液晶パネルとの間に配設され、光源部から出射された出射光を均一にする光学系部材を有する光学部と、液晶パネルの表面側に配設されるベゼルと、光源部の背面に配設されるリアフレームとを備えた液晶表示装置において、光学部は、光源部側に光学部用フレームを、更に備え、シェル部と光学部とを、ベゼルと光学部用フレームとにより一体的に固定してシェル光学群を形成するとともに、このシェル光学群とリアフレームとの間に、光源部を着脱可能に装着する。
【０００８】
この構成によれば、光源部は、シェル光学群とリアフレームとの間に、着脱可能に装着されているので、シェル光学群とリアフレームとの間から光源部を取り外せば、シェル光学群を分解することなく光源部の任意のランプを取り外して、新しいランプに交換することができる。従って、その構成は、簡単で、かつ、交換が必要なランプのみを交換することができ、極めて経済的である。
【０００９】
また、本発明においては、リアフレームは、シェル光学群との間に光源部を介して着脱可能に取付けられていて、ランプを交換する際には、リアフレームをシェル光学群から取り外すことにより、複数のランプの内の任意のランプを取り替え可能に構成する。この構成によれば、リアフレームは、シェル光学群に着脱可能に取付けられているので、リアフレームをシェル光学群から取り外せば、簡単に、任意のランプを取り外して、新しいランプに交換することができ、都合が良い。
【００１０】
また、本発明においては、光源部は、ランプを支持する凹部を有するランプフレームを更に備え、ランプは、ランプフレームの前記凹部に配設されている。この構成によれば、ランプがランプフレームの凹部に配設されているので、ランプの交換に際し、新しいランプの位置決めが行い易く、交換作業が簡単、かつ、短時間で行うことができ、都合がよい。
【００１１】
また、本発明においては、シェル部は、シェル部用フレームを更に備え、当該シェル部用フレームとベゼルとの間に液晶パネルを配設して一体的に構成する。この構成によれば、液晶パネルは、シェル用フレームとベゼルとの間に配設されて一体的に構成されているので、ランプの交換の際にシェル部に塵埃などが混入する恐れがない。従って、殊更、クリーンルームなどで交換作業を行う必要がなく、通常の環境でランプの交換作業を行なうことができ、都合が良い。
【００１２】
更に、本発明においては、画像情報を表示する液晶パネルを有するシェル部と、この表示パネルの背面にランプフレームに支持されて配設されるバックライト用の複数のランプを有する光源部と、この光源部と液晶パネルとの間に配設され、光源部から出射された出射光を均一にする光学系部材を有する光学部と、液晶パネルの表面側に配設されるベゼルと、光源部の背面に配設されるリアフレームとを備えた液晶表示装置のランプを交換する液晶表示装置のランプ交換方法において、光学部は、光源部側に光学部用フレームを、更に備え、シェル部と光学部とを、ベゼルと光学部用フレームとにより一体的に固定してシェル光学群を形成するとともに、このシェル光学群とリアフレームとの間に、光源部を配設し、ベゼルと、リアフレームとを、これらを締結する締結手段を用いて着脱可能に装着しておき、ランプを取り替える際には、ベゼルと、リアフレームとの締結手段による締結を解き、シェル光学群からリアフレームを取り外して、ランプを交換する。
【００１３】
この構成によれば、ランプを取り替える際には、ベゼルと、リアフレームとの締結手段による締結を解き、シェル光学群からリアフレームを取り外せば、簡単に、任意のランプを取り外して、新しいランプに交換することができ、都合が良い。
【発明の効果】
【００１４】
本発明によれば、簡単な構成により、しかも、経済的に光源としてのランプの交換ができるようにした液晶表示装置および液晶表示装置のランプ交換方法を得ることができる。
【発明を実施するための最良の形態】
【００１５】
以下、本発明の一実施形態を図１乃至図６に基づいて説明する。図１は、本発明の一実施形態に係る液晶モジュールを備えた液晶表示装置の一例である液晶テレビジョンの概略構成を示す正面図である。図２は、図１に示す液晶テレビジョンに用いた液晶モジュールの分解斜視図である。図３は、液晶モジュールの要部正面断面図、図４は、図３の側面断面図である。図５、ランプフレームの他の例を示す正面図、図６は、図５の側面図である。
【００１６】
図１に示す液晶テレビジョン１は、厚みの薄い略矩形状の筐体１１を有している。筐体１１は、例えば、スタンド機構１２などにより略鉛直に正立され、その正面側に矩形状の開口１１１が設けられている。開口１１１には、映像表示手段である、液晶モジュール２のシェル部３の液晶パネル３１が嵌め込まれ、この液晶パネル３１において映像を表示することが可能となっている。また、例えば、液晶モジュール２の下方には、スピーカ１３が配設されている。
【００１７】
かかる構成により、ユーザは、例えば、筐体１１に設けられた図示しない操作部或いはリモコンを操作し、所望のチャンネルに合わせることにより、液晶パネル３１に表示される画像を観ることができ、同時にスピーカ１３から音声を聴くことができる。
【００１８】
而して、本発明に従い、液晶モジュール２は、図２乃至図４に示すように、画像情報を表示する液晶パネル３１を有するシェル部３と、バックライト用の複数のランプ４１を有する光源部４と、この光源部４とシェル部３との間に配設される光学部５と、液晶パネル３１の表面側に配設されるベゼル６と、光源部４の背面に配設されるリアフレーム７とをから構成されている。
【００１９】
シェル部３は、例えば、金属製のベゼル６と、シェル部用フレーム３２との間に、内部に図示しない液晶が封入された液晶パネル３１が配設され、ネジなどからなるシェル部締結具３３（図３参照）により、締め付けられて一体的に構成されている。ベゼル６は、液晶パネル３１の表示面３１ａに対応する部分が開口された開口部６１を有し、例えば、額縁状に形成されている。
【００２０】
また、光源部４は、バックライト用の複数のランプ４１を備え、各ランプ４１は、例えば、ランプフレーム４２に支持されている。ランプ４１は、例えば、Ｕ字状曲管蛍光ランプが用いられる。ランプフレーム４２は、樹脂製で側面部４２ａおよび４２ｂにより、枠状に形成されている。また、側面部４２ａの下端には、ランプ４１を所定位置に支持および配設するための凹部４３が設けられ、この凹部４３内にランプ４１が配設されている。このランプ４１からの出射された出射光は、液晶パネル３１に向かって照射される。また、ランプ４１の背面には、必要に応じて、反射板４４が配設され、その背面にリアフレーム７が配設されている。リアフレーム７は、例えば、金属板からなり、プレス加工により断面形状がコ字状に製作されている。
【００２１】
また、ランプフレーム４２としては、上述のように枠状にせずに、例えば、図５および図６に示すように、棒状に形成したフレーム４５を、２本一組として用い、図示しない固着手段により、光学部用フレーム５４に固着してもよい。このようにすれば、ランプフレーム４２の軽量化および材料の削減が図れるので、都合がよい。
【００２２】
光学部５は、光源部４から出射された出射光を均一に拡散する機能を有しており、例えば、各種の光学系部材を備えている。図示する例では、この光学系部材としては、例えば、プリズムシート５１、拡散シート５２および拡散板５３から構成されている。プリズムシート５１は、液晶パネル３１に向かって進行する光を透過するとともに集光する機能を有している。また、拡散シート５２は、液晶パネル３１に向かって進行する出射光を透過するとともに拡散する機能を有している。また、拡散板５３は、光源部４から照射された出射光を液晶パネル３１の表示面３１ａに向けて均一に拡散する機能を有している。これらプリズムシート５１、拡散シート５２および拡散板５３は、拡散板５３の光源部４側に配設された光学部用フレーム５４と、ベゼル６とにより、シェル部３とともに、例えば、ネジなどからなる締結具３４（図３参照）により締め付けられて一体的に固定してシェル光学群３５を形成している。光学部用フレーム５４としては、図示するように、例えば、枠状に形成されている。
【００２３】
そして、光源部４は、シェル光学群３５とリアフレーム７との間に、着脱可能に装着されている。例えば、図４に示すように、コ字状に形成されたリアフレーム７の側面７１をベゼル６の側面６２により覆い、該部において、ネジなどの締結手段６３により、リアフレーム７が着脱可能に装着されている。
【００２４】
以上の構成による本実施形態においてランプ４１を交換する場合には、先ず、ベゼル６と、リアフレーム７との締結手段６３による締結を解く。次に、シェル光学群３５からリアフレーム７を取り外す。その後、反射板４４を取除き、交換の必要なランプ４１の図示しない電気的接続を解き、当該ランプ４１を、ランプフレーム４２の凹部４３から取り外す。その後、新しいランプ４１を該部に配設し、電気的接続を行なった後、反射板４４を元の場所に配設し、更に、リアフレーム７をベゼル６に締結手段６３による締結する。これにより、所望のランプ４１を簡単に交換することができる。
【００２５】
以上の構成による本実施形態によれば、光源部４は、シェル光学群３５とリアフレーム７との間に、着脱可能に装着されているので、シェル光学群４とリアフレーム７との間から光源部４を取り外せば、シェル光学群３５を分解することなく光源部４の任意のランプ４１を取り外して、新しいランプ４１に交換することができる。従って、その構成は、簡単で、かつ、交換が必要なランプ４１のみを交換することができ、極めて経済的である。
【００２６】
また、本実施形態によれば、リアフレーム７は、シェル光学群３５に着脱可能に取付けられているので、リアフレーム７をシェル光学群３５から取り外せば、簡単に、任意のランプ４１を取り外して、新しいランプ４１に交換することができ、都合が良い。
【００２７】
また、ランプ４１がランプフレーム４２の凹部４３に配設されているので、ランプ４１の交換に際し、新しいランプ４１の位置決めが行い易く、交換作業が簡単、かつ、短時間で行うことができ、都合がよい。また、液晶パネル３１は、シェル用フレーム３２とベゼル６との間に配設されて一体的に構成されているので、ランプ４１の交換の際にシェル部３に塵埃などが混入する恐れがない。従って、殊更、クリーンルームなどで交換作業を行う必要がなく、通常の環境でランプ４１の交換作業を行なうことができ、都合が良い。
【００２８】
更に、本実施形態によれば、ランプ４１を取り替える際には、ベゼル６と、リアフレーム７との締結手段６３による締結を解き、シェル光学群３５からリアフレーム７を取り外せば、簡単に、任意のランプ４１を取り外して、新しいランプ４１に交換することができ、都合が良い。
【００２９】
なお、上述した実施形態は、本発明の好適な実施例であるが、本発明はこれに限定されるものではなく、本発明の要旨を逸脱しない範囲において、種々変形実施可能である。
【００３０】
例えば、上述した実施形態では、液晶表示装置を、液晶テレビジョン１に用いた場合について詳述したが、他の表示装置に本発明を適用してもよいのは、勿論である。
【図面の簡単な説明】
【００３１】
【図１】本発明の一実施形態に係る液晶モジュールを備えた液晶表示装置の一例である液晶テレビジョンの概略構成を示す正面図である。
【図２】図１に示す液晶テレビジョンに用いた液晶モジュールの分解斜視図である。
【図３】液晶モジュールの要部正面断面図である。
【図４】図３の側面断面図である。
【図５】図ランプフレームの他の例を示す正面図である。
【図６】図５の側面図である。
【符号の説明】
【００３２】
１      液晶テレビジョン（液晶表示装置）
２      液晶モジュール
３      シェル部
３１    液晶パネル
３２    シェル部フレーム
３５    シェル光学群
４      光源部
４１    ランプ
４２    ランプフレーム
４３    凹部
５      光学部
５１    プリズムシート（光学系部材）
５２    拡散シート（光学系部材）
５３    拡散板（光学系部材）
５４    光学部用フレーム
６      ベゼル
７      リアフレーム
【図１】
2009020227.tif 000003
【図２】
2009020227.tif 000004
【図３】
2009020227.tif 000005
【図４】
2009020227.tif 000006
【図５】
2009020227.tif 000007
【図６】
2009020227.tif 000008